(57)【特許請求の範囲】
【請求項１】
上下動自在な鋸刃ハウジングに回転自在に支持された駆動ホイールと従動ホイールとにエンドレス状の帯鋸刃を掛回した構成の横型帯鋸盤において、前記鋸刃ハウジングを上下方向に案内する左右一対のガイドポストにそれぞれ上下動自在に嵌合した左右のスライドスリーブに、前記駆動ホイール、従動ホイールを回転自在に支持した左右のホイールブラケットをそれぞれ一体的に固定して備えると共に、前記一対のガイドポストを、前記駆動ホイールと従動ホイールとの間に設け、前記左右のホイールブラケットの上部側が後側となるように傾斜して設けると共に、前記帯鋸刃の上側走行部を前記ガイドポストの後側に配置し、前記帯鋸刃の下側走行部を前記ガイドポストの前側に配置した構成であり、前記帯鋸刃における前記上側走行部がワークの切断を開始するときに、前記ガイドポストと前記スライドスリーブとの間のクリアランスの存在に起因する衝撃を生じることなく上下に円滑に摺動するために、前記鋸刃ハウジングの前側に当該鋸刃ハウジングの重心を設けて前記ガイドポストの上部後側と前記スライドスリーブの上部後側とのクリアランスを零の状態に保持してあることを特徴とする横型帯鋸盤。
【請求項２】
請求項１に記載の横型帯鋸盤において、当該横型帯鋸盤を側面視したとき、前記両ホイールの軸心とホイール幅の中心線との交差位置が、側面視の前記ガイドポストの幅にほぼ等しい位置又は上記幅内に位置することを特徴とする横型帯鋸盤。
【請求項３】
請求項１又は２に記載の横型帯鋸盤において、前記帯鋸刃における上側走行部の歯部が垂直下方向を指向するように捻り起してあり、かつ前記鋸刃ハウジングの傾斜下部側に重心が設けてあることを特徴とする横型帯鋸盤。
【請求項４】
請求項１、２又は３に記載の横型帯鋸盤において、前記鋸刃ハウジングは上側が開口したＣ型形状であり、かつ前記一対のガイドポストの上端部側を、連結部材によって一体的に連結した構成であることを特徴とする横型帯鋸盤。
【発明の詳細な説明】
【技術分野】
【０００１】
本発明は横型帯鋸盤に係り、さらに詳細には、駆動ホイールと従動ホイールとに掛回したエンドレス状の帯鋸刃における上側走行部でもってワークの切断を行う構成の横型帯鋸盤に関する。
【背景技術】
【０００２】
横型帯鋸盤は、ワークを挟持固定自在なバイス装置を備えたベースフレーム上に上下動可能に設けた鋸刃ハウジングに、駆動ホイールと従動ホイールとを左右方向に離隔して回転自在に備え、この駆動ホイールと従動ホイールとにエンドレス状の帯鋸刃を掛回した構成である。そして、上昇位置から鋸刃ハウジングが下降するとき、前記帯鋸刃によってワークの切断を行う構成である。
【０００３】
ところで、横型帯鋸盤において、前記駆動ホイールと従動ホイールとの間には、直線状の鋸刃走行部が上下に構成されるものであり、一般的には帯鋸刃の下側走行部でもってワークの切断加工を行う構成である。この構成においては、横型帯鋸盤における全体的構成の上下寸法が大きくなるという問題がある。
【０００４】
そこで、帯鋸刃における上側走行部でもってワークの切断を行う構成も提案されている（例えば特許文献１、２参照）。
【特許文献１】米国特許第５０６２３３５号明細書
【特許文献２】米国特許第２８９８６６９号明細書
【発明の開示】
【発明が解決しようとする課題】
【０００５】
前記特許文献１、２に記載の構成は、一対のガイドポストに上下動可能に支持された鋸刃ハウジングの前側に駆動ホイールと従動ホイールとを左右方向に離隔して回転自在に備え、この駆動ホイールと従動ホイールとにエンドレス状の帯鋸刃を掛回した構成である。
【０００６】
したがって、前記帯鋸刃に張力を付与すると、駆動ホイール、従動ホイールを介して前記鋸刃ハウジングでもって張力を受けることになるので、帯鋸刃に大きな張力を付与しようとする場合には鋸刃ハウジングの剛性を大きくする必要があり、全体的構成が大きくなるという問題がある。
【０００７】
また、ガイドポストから前側へ突出した状態において鋸刃ハウジングが支持され、この鋸刃ハウジングの前側に駆動ホイール及び従動ホイールが回転自在に支持されている構成であることにより、前記ガイドポストからホイールの前側への突出量が大きく、帯鋸刃によりワークの切断を行うときに振動を生じ易いという問題があると共に、前後方向の寸法が大きくなり、小型化を図る上において問題がある。
【課題を解決するための手段】
【０００８】
本発明は、前述のごとき従来の問題に鑑みてなされたもので、上下動自在な鋸刃ハウジングに回転自在に支持された駆動ホイールと従動ホイールとにエンドレス状の帯鋸刃を掛回した構成の横型帯鋸盤において、前記鋸刃ハウジングを上下方向に案内する左右一対のガイドポストにそれぞれ上下動自在に嵌合した左右のスライドスリーブに、前記駆動ホイール、従動ホイールを回転自在に支持した左右のホイールブラケットをそれぞれ一体的に固定して備えると共に、前記一対のガイドポストを、前記駆動ホイールと従動ホイールとの間に設け、前記左右のホイールブラケットの上部側が後側となるように傾斜して設けると共に、前記帯鋸刃の上側走行部を前記ガイドポストの後側に配置し、前記帯鋸刃の下側走行部を前記ガイドポストの前側に配置した構成であり、前記帯鋸刃における前記上側走行部がワークの切断を開始するときに、前記ガイドポストと前記スライドスリーブとの間のクリアランスの存在に起因する衝撃を生じることなく上下に円滑に摺動するために、前記鋸刃ハウジングの前側に当該鋸刃ハウジングの重心を設けて前記ガイドポストの上部後側と前記スライドスリーブの上部後側とのクリアランスを零の状態に保持してあることを特徴とするものである。
【０００９】
また、本発明は、上記横型帯鋸盤において、当該横型帯鋸盤を側面視したとき、前記両ホイールの軸心とホイール幅の中心線との交差位置が、側面視の前記ガイドポストの幅にほぼ等しい位置又は上記幅内に位置することを特徴とするものである。
【００１０】
また、本発明は、上記横型帯鋸盤において、前記帯鋸刃における上側走行部の歯部が垂直下方向を指向するように捻り起してあり、かつ前記鋸刃ハウジングの傾斜下部側に重心が設けてあることを特徴とするものである。
【００１１】
また、本発明は、上記横型帯鋸盤において、前記鋸刃ハウジングは上側が開口したＣ型形状であり、かつ前記一対のガイドポストの上端部側を、連結部材によって一体的に連結した構成であることを特徴とするものである。
【発明の効果】
【００１２】
本発明によれば、駆動ホイールと従動ホイールとに掛回したエンドレス状の帯鋸刃の張力は一対のガイドポストによって受けることにより、鋸刃ハウジングの小型軽量化を図ることができる。また、帯鋸刃の上下の鋸刃走行部がガイドポストの前側、後側に位置することとなり、前後方向の寸法を小さくすることができると共に、ワークの切断加工時における振動発生を抑制することができるものである。
【発明を実施するための最良の形態】
【００１３】
図１を参照するに、本発明の実施形態に係る横型帯鋸盤１は、箱状のベースフレーム３を備えており、このベースフレーム３の上面には、ワークＷを挟持固定自在の固定バイスジョー５Ｆと可動バイスジョー５Ｍとを対向して備えたバイス装置５が設けられている。上記バイス装置５の構成は一般的な構成であって公知であるから、上記バイス装置５の詳細についての説明は省略する。
【００１４】
前記ベースフレーム３には左右一対のガイドポスト７Ｌ、７Ｒが立設してあり、このガイドポスト７Ｌ、７Ｒの上端部側は、強度向上、及びガイドポスト７Ｌ、７Ｒの平行度維持を図るべく連結部材９を介して一体的に連結してある。前記左右のガイドポスト７Ｌ、７Ｒには円筒形状のスライドスリーブ１１Ｌ、１１Ｒが上下動自在に嵌合してあり、この左右のスライドスリーブ１１Ｌ、１１Ｒのそれぞれ左右外側部には、左右のホイールブラケット１３Ｌ、１３Ｒがそれぞれ溶接等によって一体的に固定してある。
【００１５】
上記左右のホイールブラケット１３Ｌ、１３Ｒは、上部側が後側となるように（図１において上部側が裏面側となるように）傾斜してある。そして、前記スライドスリーブ１１Ｌ、１１Ｒの下部側及び左右のホイールブラケット１３Ｌ、１３Ｒの下部側は、左右方向に長いビーム部材１４と一体的に連結してある。このビーム部材１４や左右のホイールブラケット１３Ｌ、１３Ｒは、後述する駆動ホイール、従動ホイールを回転自在に支持する鋸刃ハウジングを構成するものであり、上側を開口したＣ型形状に構成してあり、高さ寸法を抑制することができるものである。
【００１６】
前記ホイールブラケット１３Ｒは、図２に示すように、上部ブラケット１３Ａと下部ブラケット１３Ｂとを備えた二重構造に構成してあり、上記上下のブラケット１３Ａ、１３Ｂに両端側を支持された回転軸１５を介して上下のブラケット１３Ａ、１３Ｂの間に駆動ホイール１７が回転自在に支持されている。なお、上記駆動ホイール１７は、前記ホイールブラケット１３Ｒに装着したモータ（図示省略）によって回転駆動されるものである。
【００１７】
左側の前記ホイールブラケット１３Ｌには回転軸１９を介して従動ホイール２１が回転自在に支持されており、この従動ホイール２１と前記駆動ホイール１７にはエンドレス状の帯鋸刃２３が掛回してある。さらに、前記駆動ホイール１７に対して接近離反する方向へ前記従動ホイール２１を移動して前記帯鋸刃２３に張力を付与するための張力付与手段２５が前記ホイールブラケット１３Ｌに装着してある。
【００１８】
上記張力付与手段２５は、前記回転軸１９を支持した支持ブロック（図示省略）を前記駆動ホイール１７に対して接近離反する方向へ移動することによって帯鋸刃２３に張力を付与するもので、例えば油圧シリンダやネジ機構などよりなるものであり、この種の張力付与手段２５は公知であるから、張力付与手段２５についてより詳細な説明は省略する。
【００１９】
前記鋸刃ハウジングを上下動するために、例えば油圧シリンダのごとき上下動用アクチュエータ２７（図２参照）が設けてあり、この上下動用アクチュエータ２７におけるピストンロッド２７Ｐが前記ベースフレーム３の一部に連結してあり、シリンダ本体が前記スライドスリーブ１１Ｒと一体的に連結してある（連結構造の詳細は図示省略）。なお、鋸刃ハウジングを上下動するアクチュエータとしては油圧シリンダに限ることなく、モータによって回転されるボールネジ機構などを採用することも可能である。
【００２０】
前記駆動ホイール１７及び従動ホイール２１は、図２に示すように、左右方向の側方から見たとき駆動ホイール１７、従動ホイール２１の上部側が前記ガイドポスト７Ｌ、７Ｒより後側（図２においては右側）に位置し、前記駆動ホイール１７、従動ホイール２１の下部側が前記ガイドポスト７Ｌ、７Ｒの前側（図２においては左側）に位置するように前後に傾斜してある。
【００２１】
そして、側面視において、前記駆動ホイール１７、従動ホイール２１の軸心Ｓと両ホイール１７、２１の幅方向の中心線Ｌとの交点は、側面視において前記ガイドポスト７Ｌ、７Ｒの前後方向の幅にほぼ等しい位置又は前記幅内に位置するように構成してある。
【００２２】
したがって、前記駆動ホイール１７と従動ホイール２１とに掛回した前記帯鋸刃２３における直線状の上側走行部２３Ｕは前記一対のガイドポスト７Ｌ、７Ｒの後側に位置し、帯鋸刃２３の直線状の下側走行部２３Ｌは前記ガイドポスト７Ｌ、７Ｒの前側に位置している。そして、前記上側走行部２３Ｕによって前記ワークＷを切断するために、前記上側走行部２３Ｕにおける鋸歯の歯先が垂直下方向を指向するように捻り起すための鋸刃ガイド（図示省略）が前記鋸刃ハウジングに備えられている。また、帯鋸刃２３の前記下側走行部２３Ｌは、前記鋸刃ハウジングが最上昇した場合であっても前記バイス装置５のワーク支持面より下側に位置する構成である。
【００２３】
さらに、前記ガイドポスト７Ｌ、７Ｒと前記スライドスリーブ１１Ｌ、１１Ｒとの間の微少クリアランスを一方向に寄せるために、すなわち、前記スライドスリーブ１１Ｌ、１１Ｒの上部側においては、前記ガイドポスト７Ｌ、７Ｒの後側（図２においての右側）のクリアランス及びスライドスリーブ１１Ｌ、１１Ｒの下部側においてはガイドポスト７Ｌ、７Ｒの前側（図２においての左側）のクリアランスが零になるように、前記鋸刃ハウジングの前側（傾斜下部側）に当該鋸刃ハウジングの重心が設けてある。
【００２４】
以上のごとき構成において、駆動ホイール１７を回転駆動し、かつ鋸刃ハウジングを下降することにより、バイス装置５に挟持固定されたワークＷを、帯鋸刃２３における上側走行部２３Ｕによって切断することができるものである。
【００２５】
前述のごとくワークＷを切断するに当り、前記張力付与手段２５によって従動ホイール２１を駆動ホイール１７から離反する方向へ移動して帯鋸刃２３に大きな張力を付与すると、その反力は左右のホイールブラケット１３Ｌ、１３Ｒ、左右のスライドスリーブ１１Ｌ、１１Ｒを介して左右のガイドポスト７Ｌ、７Ｒによって受けることになる。
【００２６】
したがって、帯鋸刃２３の張力を従来の構成に比較して極めて大きくすることができ、高速重切削時の切曲りを抑制でき、重切削を精度良くかつ能率良く行うことができるものである。換言すれば、前記構成により駆動ホイール１７、従動ホイール２１を支持した鋸刃ハウジングの構成の簡素化、軽量化を図りながら剛性を大きくすることができるものである。
【００２７】
また、エンドレス状の帯鋸刃２３における上側走行部２３Ｕがガイドポスト７Ｌ、７Ｒの後側に位置し、下側走行部２３Ｌがガイドポスト７Ｌ、７Ｒの前側に位置することにより、ガイドポスト７Ｌ、７Ｒをも含めての全体的構成の前後方向の寸法を小さく抑えることができ、小型化を図ることができるものである。さらに、左右のガイドポスト７Ｌ、７Ｒの左右方向の外側に駆動ホイール１７、従動ホイール２１が位置することにより、前記ガイドポスト７Ｌ、７Ｒの前側に駆動ホイール１７、従動ホイール２１が突出した状態に配置した従来の構成に比較して、ワークＷの切断加工時の振動を抑制でき、帯鋸刃２３の長寿命化及び切断面の精度向上を図ることができるものである。
【００２８】
さらに、鋸刃ハウジングの前側に重心を設けて、ガイドポスト７Ｌ、７Ｒの上部後側とスライドスリーブ１１Ｌ、１１Ｒの上部後側とのクリアランスを零の状態に保持してあるので、帯鋸刃２３における上側の走行部２３ＵがワークＷに接触して切断を開始するときに、前記ガイドポスト７Ｌ、７Ｒとスライドスリーブ１１Ｌ、１１Ｒとの間のクリアランスの存在に起因する衝撃等を生じることなく、ガイドポスト７Ｌ、７Ｒに対してスライドスリーブ１１Ｌ、１１Ｒを上下に円滑に摺動することができるものである。
【００２９】
ところで、前記交点Ｏの位置は、側面視において、ガイドポスト７Ｌ、７Ｒの前後方向の幅にほぼ等しい位置又は前記幅内に位置することが望ましい。しかし、設計的事項により、前記ガイドポスト７Ｌ、７Ｒの前後方向の幅から前後に僅かに外れた位置に配置することも可能である。この場合、大きく外れることは望ましくはなく、前記ガイドポスト７Ｌ、７Ｒの前後方向の幅の前後２倍以内に抑えることが望ましい。
【図面の簡単な説明】
【００３０】
【図１】本発明の実施形態に係る横型帯鋸盤の概念的、概略的な正面説明図である。
【図２】側面視してたときの駆動ホイール、従動ホイールとガイドポストとの位置的関係を示した側面説明図である。
【符号の説明】
【００３１】
１…横型帯鋸盤
３…ベースフレーム
５…バイス装置
７Ｌ、Ｒ…ガイドポスト
９…連結部材
１１Ｌ、Ｒ…スライドスリーブ
１３Ｌ、Ｒ…ホイールブラケット
１５…回転軸
１７…駆動ホイール
１９…回転軸
２１…従動ホイール
２３…帯鋸刃
【図１】
0004698194.tif 000002
【図２】
0004698194.tif 000003